【手続補正書】
【提出日】平成18年5月2日(2006.5.2)
【手続補正１】
【補正対象書類名】明細書
【補正対象項目名】特許請求の範囲
【補正方法】変更
【補正の内容】
【特許請求の範囲】
【請求項１】  データの入出力要求を受け付ける通信制御部と、記憶媒体を制御するディスクコントローラ部と、前記通信制御部と前記ディスクコントローラ部との間で授受するデータを一時的に記憶するキャッシュメモリとを有するコントローラと、
前記ディスクコントローラ部に当該ディスクコントローラ部との間で通信を行うための通信インターフェースが異なる複数の記憶媒体が通信可能に接続する構成と、
を含むディスクアレイ装置。
【請求項２】
少なくとも一つのホストコンピュータに接続され、前記ホストコンピュータから送信されるデータを複数の記憶領域に転送するコントローラと、
前記コントローラに接続され、シリアルＡＴＡ（AT Attachment）インターフェースとは異なる通信インターフェースを有する前記コントローラと授受されるデータを伝送する少なくとも一つの通信経路と、
前記記憶領域の一部を構成すると共に、前記通信経路に接続され、前記通信インターフェース及び前記通信インターフェースと前記シリアルＡＴＡインターフェースとの変換を行うコンバータを有する複数のシリアルＡＴＡディスクドライブと、
前記記憶領域の一部を構成すると共に、前記通信インターフェースを有し、前記シリアルＡＴＡディスクドライブとは異なるタイプの複数の他のタイプのディスクドライブと、
前記通信経路と接続され、前記シリアルＡＴＡディスクドライブがそれぞれに装着される複数の第一ディスクドライブユニットと、
前記他のタイプのディスクドライブがそれぞれに装着される複数の第二ディスクドライブユニットと、
を備えるストレージシステム。
【請求項３】
請求項２に記載のストレージシステムであって、
前記通信インターフェースはＦＣ（Fibre Channel）インターフェースであることを特徴とするストレージシステム。
【請求項４】
請求項２に記載のストレージシステムであって、
前記通信インターフェースはＦＣインターフェースであり、
前記他のタイプのディスクドライブは前記コンバータを有さない
ことを特徴とするストレージシステム。
【請求項５】
請求項２に記載のストレージシステムであって、
前記通信経路はＦＣ−ＡＬ（Fibre Channel Arbitrated Loop）であり、
前記他のタイプのディスクドライブのそれぞれは前記コンバータを有さない
ことを特徴とするストレージシステム。
【請求項６】
請求項２に記載のストレージシステムであって、
前記第一ディスクドライブユニット及び前記第二ディスクドライブユニットを有する筐体と、
前記筐体及び他の筐体を積み重ねて収容するラックフレームと、
を備え、
前記通信インターフェースはＦＣインターフェースであり、
前記他のタイプのディスクドライブのそれぞれは前記コンバータを有さない
ことを特徴とするストレージシステム。
【請求項７】
請求項２に記載のストレージシステムであって、
前記第一ディスクドライブユニットを収容する第一筐体と、前記第二ディスクドライブユニットを収容する第二筐体とを含む複数の筐体と、
前記第一筐体と前記第二筐体とを積み重ねて収容するラックフレームと、
を備え、
前記他のタイプのディスクドライブは前記コンバータを有さない
ことを特徴とするストレージシステム。
【請求項８】
請求項２に記載のストレージシステムであって、
前記通信経路はＦＣ−ＡＬであることを特徴とするストレージシステム。
【請求項９】
請求項２に記載のストレージシステムであって、
前記第一ディスクドライブユニットと少なくとも一本の電源供給ラインで接続され、前記第一ディスクドライブユニットに電源を供給するＡＣ／ＤＣ電源と、
前記ＡＣ／ＤＣ電源と接続され、前記第一ディスクドライブユニットへの電源の供給を制御する電源コントローラと、
を備え、
前記第一ディスクドライブユニットの少なくとも一つが、前記コントローラから前記電源コントローラへ送信される制御信号を伝送する
ことを特徴とするストレージシステム。
【請求項１０】
請求項２に記載のストレージシステムであって、
前記通信インターフェースはＦＣインターフェースであり、
前記他のタイプのディスクドライブのそれぞれは前記コンバータを有さず、
前記シリアルＡＴＡディスクドライブにより提供される１以上の記憶領域によって、前記コントローラに接続される前記ホストコンピュータから送信されたデータを記憶するための第一論理ボリュームが形成され、
前記他のタイプのディスクドライブにより提供される１以上の記憶領域によって、第二論理ボリュームが形成され、
前記第一論理ボリュームと前記第二論理ボリュームとのそれぞれが論理ボリューム番号を有する
ことを特徴とするストレージシステム。
【請求項１１】
請求項２に記載のストレージシステムであって、
前記シリアルＡＴＡディスクドライブのいくつかが、バックアップ専用のディスクドライブとして使用される
ことを特徴とするストレージシステム。
【請求項１２】
少なくとも一つの情報処理装置に接続され、前記情報処理装置から送信されるデータを複数の記憶領域に記憶するコントローラと、
前記コントローラに接続され、シリアルＡＴＡ（AT Attachment）インターフェースとは異なる通信インターフェースによって前記コントローラと授受されるデータを伝送する少なくとも一つの通信経路と、
前記記憶領域の一部を構成すると共に、前記通信インターフェースを介してデータを受信し、前記通信インターフェースと前記シリアルＡＴＡインターフェースとの変換を行うコンバータが組み込まれた複数のシリアルＡＴＡディスクドライブと、
前記通信経路と接続され、前記シリアルＡＴＡディスクドライブがそれぞれに装着される複数の第一ディスクドライブユニットと、
前記通信インターフェースを介してデータを受信し、前記コンバータを有さない複数の他のタイプのディスクドライブと、
前記他のタイプのディスクドライブがそれぞれに装着される複数の第二ディスクドライブユニットと、
を備えるストレージシステム。
【請求項１３】
少なくとも一つの情報処理装置に接続され、前記情報処理装置から送信されるデータを転送するコントローラと、
前記コントローラに接続され、ＦＣインターフェースによって前記コントローラと授受されるデータを伝送する少なくとも一本のラインと、
前記ＦＣインターフェースである第一プロトコルと前記ＦＣインターフェースとは異なる通信インターフェースである第二プロトコルとを解釈して、前記コントローラから送信されるデータを記憶する複数の第一のタイプのディスクドライブと、
前記ラインに接続され、前記第一のタイプのディスクドライブがそれぞれに装着される複数の第一のタイプのディスクドライブユニットと、
前記第一プロトコルは解釈し、前記第二プロトコルは解釈せず、前記コントローラから送信されるデータを記憶する複数の第二のタイプのディスクドライブと、
前記第二のタイプのディスクドライブがそれぞれに装着される複数の第二のタイプのディスクドライブユニットと、
を備えるストレージシステム。
【請求項１４】
請求項１３に記載のストレージシステムであって、
前記各第一のタイプのディスクドライブは第一のタイプのＦＣドライブであり、
前記各第二のタイプのディスクドライブは第二のタイプのＦＣドライブである
ことを特徴とするストレージシステム。
【請求項１５】
請求項１３に記載のストレージシステムであって、
前記ラインはＦＣ−ＡＬであることを特徴とするストレージシステム。
【請求項１６】
請求項１３に記載のストレージシステムであって、
前記第一のタイプのディスクドライブユニット及び前記第二のタイプのディスクドライブユニットを有する筐体と、
前記筐体と他の筐体とを積み重ねて収容するラックフレームと、
を備えることを特徴とするストレージシステム。
【請求項１７】
請求項１３に記載のストレージシステムであって、
前記第一のタイプのディスクドライブユニットを収容する第一筐体と、前記第二のタイプのディスクドライブユニットを収容する第二筐体とを含む複数の筐体と、
前記第一筐体と前記第二筐体とを積み重ねて収容するラックフレームと、
を備えることを特徴とするストレージシステム。
【請求項１８】
請求項１３に記載のストレージシステムであって、
前記第一のタイプのディスクドライブユニットと少なくとも一本の電源供給ラインで接続され、前記第一のタイプのディスクドライブユニットに電源を供給するＡＣ／ＤＣ電源と、
前記ＡＣ／ＤＣ電源と接続され、前記第一のタイプのディスクドライブユニットへの電源の供給を制御する電源コントローラと、
を備え、
前記第一のタイプのディスクドライブユニットの少なくとも一つが、前記コントローラから前記電源コントローラへ送信される制御信号を伝送する
ことを特徴とするストレージシステム。
【請求項１９】
請求項１３に記載のストレージシステムであって、
前記第一のタイプのディスクドライブにより提供される１以上の記憶領域によって、前記コントローラに接続される前記情報処理装置から送信されたデータを記憶するための第一論理ボリュームが形成され、
前記第二のタイプのディスクドライブにより提供される１以上の記憶領域によって、第二論理ボリュームが形成され、
前記第一論理ボリュームと前記第二論理ボリュームとのそれぞれが論理ボリューム番号を有する
ことを特徴とするストレージシステム。
【請求項２０】
請求項１３に記載のストレージシステムであって、
前記第一のタイプのディスクドライブのいくつかが、バックアップ専用のディスクドライブとして使用される
ことを特徴とするストレージシステム。
【手続補正２】
【補正対象書類名】明細書
【補正対象項目名】０００６
【補正方法】変更
【補正の内容】
【０００６】
【課題を解決するための手段】
上記目的を達成するための本発明の主たる発明であるディスクアレイ装置は、データの入出力要求を受け付ける通信制御部と、記憶媒体を制御するディスクコントローラ部と、前記通信制御部と前記ディスクコントローラ部との間で授受するデータを一時的に記憶するキャッシュメモリとを有するコントローラと、
前記ディスクコントローラ部に当該ディスクコントローラ部との間で通信を行うための通信インターフェースが異なる複数の記憶媒体が通信可能に接続する構成と、
を含むことを特徴とする。
【手続補正３】
【補正対象書類名】明細書
【補正対象項目名】０００７
【補正方法】変更
【補正の内容】
【０００７】
ここで、ディスクコントローラは、後述するように、少なくとも通信インターフェースが異なる複数の記憶装置の動作の制御や記憶装置の状態監視などを行う機能を有する。通信インターフェースとは、例えば、ＦＣ−ＡＬ（Fibre Channel Arbitrated Loop）インターフェース、シリアルＡＴＡインターフェース、ＳＣＳＩ１（Small Computer System Interface 1）インターフェース、ＳＣＳＩ２インターフェース、ＳＣＳＩ３インターフェース、ＡＴＡ（AT Attachment）インターフェースなどである。
【手続補正４】
【補正対象書類名】明細書
【補正対象項目名】０００８
【補正方法】変更
【補正の内容】
【０００８】
このように、本発明のディスクアレイ装置においては、１つのディスクコントローラに、通信インターフェース、アクセス速度、記憶容量などの仕様、価格、等が異なる様々な記憶装置を自由に組み合わせて構成することができ、既存のディスクアレイ装置の構成変更を最小限に抑えて有効に運用することが可能となる。